(57)【要約】【課題】乾燥効率の低下を抑制すること。【解決手段】開示の技術の一態様に係る装置は、液体が付与されて搬送される基材に外周面を接触させ、前記基材を加熱又は冷却する温度調節部材と、前記基材が前記温度調節部材との接触を開始する箇所の搬送方向における上流側に設けられ、少なくとも一部が前記基材に接触する第１面と、少なくとも一部が前記温度調節部材の外周面に接触する第２面とを含む部材と、を備える。【選択図】図１
2020203393.tif 000002
【特許請求の範囲】
【請求項１】
液体が付与されて搬送される基材に外周面を接触させ、前記基材を加熱又は冷却する温度調節部材と、
前記基材が前記温度調節部材との接触を開始する箇所の搬送方向における上流側に設けられ、少なくとも一部が前記基材に接触する第１面、及び少なくとも一部が前記温度調節部材の外周面に接触する第２面を含む部材と、を備える
装置。
【請求項２】
前記部材は、バルク状の部材である
請求項１に記載の装置。
【請求項３】
前記第２面は、前記温度調節部材の外周面に沿った形状に形成されている
請求項１、又は２に記載の装置。
【請求項４】
前記部材はフッ素樹脂を含む
請求項１乃至３の何れか１項に記載の装置。
【請求項５】
前記基材の搬送速度は３０ｍｐｍ（meter per minute）以上である
請求項１乃至４の何れか１項に記載の装置。
【請求項６】
液体が付与されて搬送される基材に外周面を接触させ、前記基材を加熱又は冷却する温度調節部材と、
前記基材が前記温度調節部材との接触を開始する箇所の搬送方向における上流側に設けられ、少なくとも一部が前記基材に接触する第１面と、少なくとも一部が前記温度調節部材の外周面に接触する第２面とを含む部材と、を備える
液体吐出装置。
【発明の詳細な説明】
【技術分野】
【０００１】
本発明は、装置、及び液体吐出装置に関する。
【背景技術】
【０００２】
インク等の液体が付与された基材を温度調節部材により搬送しながら乾燥させる技術が知られている。
【０００３】
また、液体が付与されたフィルム等の基材の第１面側から基材を加熱する加熱乾燥部と、基材のうち第１面とは反対側の第２面側から基材の温度を調節する温度調節部とを備え、基材の種類に応じて、加熱乾燥部及び温度調節部のそれぞれによる基材の乾燥を制御する技術が開示されている（例えば、特許文献１参照）。
【発明の概要】
【発明が解決しようとする課題】
【０００４】
しかしながら、特許文献１の装置では、乾燥効率が低下する場合があった。
【０００５】
開示の技術は、乾燥効率の低下を抑制することを課題とする。
【課題を解決するための手段】
【０００６】
開示の技術の一態様に係る装置は、液体が付与されて搬送される基材に外周面を接触させ、前記基材を加熱又は冷却する温度調節部材と、前記基材が前記温度調節部材との接触を開始する箇所の搬送方向における上流側に設けられ、少なくとも一部が前記基材に接触する第１面と、少なくとも一部が前記温度調節部材の外周面に接触する第２面とを含む部材と、を備える。
【発明の効果】
【０００７】
開示の技術によれば、乾燥効率の低下を抑制することができる。
【図面の簡単な説明】
【０００８】
【図１】第１の実施形態に係る画像形成装置の構成例を示す図である。
【図２】温水温度維持機構の構成例を示す図である。
【図３】比較例に係る画像形成装置の構成を示す図である。
【図４】比較例に係る画像形成装置における空気の引き込みを説明する図である。
【図５】温度調節部材とフィルムとの間に空気が介在する状態を説明する図である。
【図６】温度調節部材とフィルムとの間に空気が介在しない状態を説明する図である。
【図７】第２の実施形態に係る画像形成装置の構成例を示す図である。
【図８】フィルム搬送に伴うしわ発生の実験結果例を示す図である。
【発明を実施するための形態】
【０００９】
以下、図面を参照して発明を実施するための形態について説明する。各図面において、同一の構成部には同一符号を付し、重複した説明を省略する場合がある。
【００１０】
実施形態の用語における、画像形成、記録、印字、印写、印刷、造形はいずれも同義語とする。
【００１１】
また実施形態において、「液体を吐出する装置」は、液体吐出ヘッド又は液体吐出ユニットを備え、液体吐出ヘッドを駆動させて、液体を吐出させる装置である。なお、「液体を吐出する装置」と「液体吐出装置」は同義である。
【００１２】
この「液体を吐出する装置」は、液体が付着可能なものの給送、搬送、排紙に係わる手段、その他、前処理装置、後処理装置なども含むことができる。
【００１３】
例えば、「液体を吐出する装置」として、インク等の液体を吐出させて用紙に画像を形成する装置である画像形成装置等がある。
【００１４】
上記「液体が付着可能なもの」とは、液体が少なくとも一時的に付着可能なものであって、付着して固着するもの、付着して浸透するものなどを意味する。
【００１５】
また、「液体」は、ヘッドから吐出可能な粘度や表面張力を備えるものであればよく、特に限定されないが、常温、常圧下において、または加熱、冷却により粘度が３０ｍＰａ・ｓ以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどであり、これらは例えば、インクジェット用インク、表面処理液、電子素子や発光素子の構成要素や電子回路レジストパターンの形成用液、３次元造形用材料液等の用途で用いることができる。
【００１６】
また、「液体を吐出する装置」は、液体吐出ヘッドと液体が付着可能なものとが相対的に移動する装置があるが、これに限定するものではない。具体例としては、液体吐出ヘッドを移動させるシリアル型装置、液体吐出ヘッドを移動させないライン型装置などが含まれる。
【００１７】
「液体吐出ユニット」とは、液体吐出ヘッドに機能部品、機構が一体化したものであり、液体の吐出に関連する部品の集合体である。例えば、「液体吐出ユニット」は、ヘッドタンク、キャリッジ、供給機構、維持回復機構、主走査移動機構の構成の少なくとも一つを液体吐出ヘッドと組み合わせたものなどが含まれる。
【００１８】
ここで、一体化とは、例えば、液体吐出ヘッドと機能部品、機構が、締結、接着、係合などで互いに固定されているもの、一方が他方に対して移動可能に保持されているものを含む。また、液体吐出ヘッドと、機能部品、機構が互いに着脱可能に構成されていても良い。
【００１９】
例えば、液体吐出ユニットとして、液体吐出ヘッドとヘッドタンクが一体化されているものがある。また、チューブなどで互いに接続されて、液体吐出ヘッドとヘッドタンクが一体化されているものがある。ここで、これらの液体吐出ユニットのヘッドタンクと液体吐出ヘッドとの間にフィルタを含むユニットを追加することもできる。
【００２０】
また、液体吐出ユニットとして、液体吐出ヘッドとキャリッジが一体化されているものがある。
【００２１】
また、液体吐出ユニットとして、液体吐出ヘッドを走査移動機構の一部を構成するガイド部材に移動可能に保持させて、液体吐出ヘッドと走査移動機構が一体化されているものがある。また、液体吐出ヘッドとキャリッジと主走査移動機構が一体化されているものがある。
【００２２】
また、液体吐出ユニットとして、液体吐出ヘッドが取り付けられたキャリッジに、維持回復機構の一部であるキャップ部材を固定させて、液体吐出ヘッドとキャリッジと維持回復機構が一体化されているものがある。
【００２３】
また、液体吐出ユニットとして、ヘッドタンク若しくは流路部品が取付けられた液体吐出ヘッドにチューブが接続されて、液体吐出ヘッドと供給機構が一体化されているものがある。このチューブを介して、液体貯留源の液体が液体吐出ヘッドに供給される。
【００２４】
主走査移動機構は、ガイド部材単体も含むものとする。また、供給機構は、チューブ単体、装填部単体も含むものする。
【００２５】
「液体吐出ヘッド」とは、ノズルから液体を吐出・噴射する機能部品である。
【００２６】
液体を吐出するエネルギー発生源として、圧電アクチュエータ（積層型圧電素子及び薄膜型圧電素子）、発熱抵抗体などの電気熱変換素子を用いるサーマルアクチュエータ、振動板と対向電極からなる静電アクチュエータなどを使用するものが含まれる。
【００２７】
以下、実施形態では、「液体が付着可能なもの」をフィルムとし、「液体」をインクとし、「液体を吐出する装置」をインクジェット方式の画像形成装置とした場合を一例として説明する。なお、フィルムとは、食品包装用途等で用いられ、ポリエチレンテレフタレート等のプラスチックを材質とする薄い膜である。また、フィルムは「基材」の一例である。
【００２８】
[第１の実施形態]
＜第１の実施形態に係る画像形成装置の構成＞
第１の実施形態に係る画像形成装置について説明する。図１は、本実施形態の画像形成装置の構成の一例を示す図である。
【００２９】
図１に示すように、画像形成装置１００は、インク吐出ユニット１と、乾燥ユニット２とを備える。画像形成装置１００において、フィルムＦは供給ユニットから供給され、搬送精度を確保するために供給ユニットにより矢印２０の方向に張力を加えられながら、搬送方向１０に沿って搬送ユニットにより搬送される。なお、供給ユニット及び搬送ユニットは、図１では図示が省略されている。
【００３０】
画像形成装置１００は、搬送されるフィルムＦに対してインク吐出ユニット１からインクを吐出し、フィルムＦの表面にインクを付与させて画像を形成する。図１におけるインク５は、フィルムＦの表面に付与されたインクを示している。
【００３１】
フィルムＦは、巻き取り可能なロール状の連帳のフィルムである。例えば、延伸ポリプロピレン（ＯＰＰ；Oriented Poly-Propylene）を材質とした食品包装等の軟包装用途で用いられるフィルムである。
【００３２】
また、インク吐出ユニット１から吐出されるインクは、例えば水性インクである。水性インクは、溶剤と着色剤を主成分とし、溶剤として主に水を使用したインクである。
【００３３】
インク吐出ユニット１は、ホワイト用のインク吐出ヘッド１Ｗと、ブラック用のインク吐出ヘッド１Ｋと、シアン用のインク吐出ヘッド１Ｃと、マゼンタ用のインク吐出ヘッド１Ｍと、イエロー用のインク吐出ヘッド１Ｙとを備える。
【００３４】
インク吐出ヘッド１Ｗはホワイト（Ｗ）のインクを吐出し、インク吐出ヘッド１Ｋはブラック（Ｋ）のインクを吐出して、フィルムＦの表面にそれぞれインクを付与する。また、インク吐出ヘッド１Ｃはシアン（Ｃ）のインクを吐出し、インク吐出ヘッド１Ｍはマゼンタ（Ｍ）のインクを吐出し、インク吐出ヘッド１Ｙはイエロー（Ｙ）のインクを吐出して、フィルムＦの表面にそれぞれインクを付与する。
【００３５】
但し、実施形態では、ホワイト（Ｗ）、ブラック（Ｋ）、シアン（Ｃ）、マゼンタ（Ｍ）及びイエロー（Ｙ）の５色のインク吐出ヘッドを備える画像形成装置１００を説明するが、これに限定されるものではない。画像形成装置１００は、グリーン（Ｇ）、レッド（Ｒ）、ライトシアン（ＬＣ）及び／又はその他の色に対応するインク吐出ヘッドを更に備えても良い。また、ブラック用のインク吐出ヘッド１Ｋのみを備えても良い。
【００３６】
「装置」の一例としての乾燥ユニット２は、温度調節部材３と、温風発生部４と、シール部材６とを備え、フィルムＦの表面に付与されたインク５を乾燥させる。
【００３７】
温度調節部材３は、円筒軸周りに回転可能な円筒状部材であり、フィルムＦの液体が付与された面とは反対側の面（以下、裏面という）を外周面に接触させながら回転し、フィルムＦを搬送方向１０に沿って搬送する。なお、図１では、温度調節部材３を回転軸方向から見た図が示されている。
【００３８】
また、温度調節部材３の内部は、所定の温度に保たれた温水が充填されている。温度調節部材３は、温水の熱を裏面からフィルムＦに伝達することで、フィルムＦの温度を所定の温度に維持することができる。この所定の温度は、一例として７０度である。
【００３９】
温風発生部４は、ヒータ等により加熱して発生させた温風を、フィルムＦの液体が付与された面（以下、表面という）に吹き送り、フィルムを加熱するとともにインク温度を上昇させて乾燥を促進させる。なお、乾燥ユニット２は、温風発生部４に代えて、又は温風発生部４に加えて、赤外線加熱器を備え、フィルムＦの表面に赤外線を照射することで、乾燥を促進させても良い。
【００４０】
ここで、実施形態では、温度調節部材３によりフィルムＦの裏面に伝熱し、温風発生部４によりフィルムＦの表面を加熱するが、フィルムＦの厚み方向における全体的な温度は、熱容量が大きい温度調節部材３の温度に支配される。
【００４１】
実験結果の一例として、温度調節部材３の内部の温水の温度を７０度とし、温風発生部４の温風の温度を３００度とした場合、フィルムＦの裏面の温度は８５度で、フィルムＦの表面のインクの温度は１５０度となった。このことから、フィルムＦの表面のインクを、温風発生部４により水性インクの沸点である１００度以上とし、フィルムＦの温度を、温度調節部材３により一般的な耐熱温度である１００度以下できることが分かる。このような温度調節部材３の作用により、フィルムＦの熱のダメージが防止され、またインクの乾燥が促進される。
【００４２】
次に、シール部材６について説明する。シール部材６は、バルク状の部材であり、温度調節部材３の円筒軸に沿った方向（以下、円筒軸方向という）と搬送方向１０とを含む平面６１を含む。また、シール部材６は、所定の方向に徐々に厚みが薄くなるテーパ部６２を含み、テーパ部６２は、図１に斜線ハッチングで示したように、平面６１及び平面６３を含んで形成されている。平面６１及び６３は、円筒軸方向においてフィルムＦの長さ以上の長さを備えている。
【００４３】
シール部材６は、搬送方向１０において、フィルムＦが温度調節部材３との接触を開始する箇所３ａ（以下、接触開始箇所３ａという）の上流側に設けられ、フィルムＦと温度調節部材３の間で搬送方向１０の上流方向に徐々に狭くなる空間に、テーパ部６２の先端部が挿入されるようにして配置されている。また、平面６１の少なくとも一部は、フィルムＦにおける温度調節部材３に接触する側の面に接触し、また、平面６３の少なくとも一部は、温度調節部材３の外周面に接触している。さらに、シール部材６は、フッ素樹脂を素材として構成されている。ここで、平面６１は第１面の一例であり、平面６３は第２面の一例である。
【００４４】
次に、図２は、温度調節部材３の内部の温水を所定の温度に維持するための温水温度維持機構の構成の一例を示す図である。図２に示すように、温水温度維持機構３０は、チラー３１と、入口側ホース３２と、出口側ホース３３とを備え、温度調節部材３の内部に充填された温水を循環させて温水の温度を一定に維持する機能を備える。
【００４５】
より詳しくは、チラー３１は、熱交換により所定の温度に制御した温水を、入口側ホース３２を介して温度調節部材３の内部に温水を送り込む。また、チラー３１は、出口側ホース３３を介して温度調節部材３の内部の温水を引き込み、引き込んだ温水を熱交換により所定の温度に制御する。このようなチラー３１による温度制御技術は、公知の技術が適用できるため、ここでは、更に詳細な説明は省略する。
【００４６】
＜第１の実施形態に係る画像形成装置の作用効果＞
次に、画像形成装置１００の作用効果について、図３〜図６を参照して説明する。
【００４７】
図３は、比較例に係る画像形成装置１０１の構成を示す図である。図３に示すように、画像形成装置１０１は、インク吐出ユニット１と、乾燥ユニット２とを備える。また、乾燥ユニット２は、温度調節部材３と、温風発生部４とを備える。つまり、画像形成装置１０１は、画像形成装置１００とは異なり、シール部材６を備えていない。
【００４８】
図４は、図３において破線の丸で囲った部分Ｅ１の部分拡大図であり、温度調節部材３とフィルムＦとの間への空気の引き込みについて説明する図である。
【００４９】
フィルムＦを搬送する搬送速度が速くなると、温度調節部材３とフィルムＦの走行に伴う空気の流れが大きくなる。そして、図４に示すように、接触開始箇所３ａの搬送方向の上流側において、フィルムＦと温度調節部材３の間に引き込まれる気流７が大きくなる。その結果、フィルムＦと温度調節部材３との間に空気が入り込んで、温度調節部材３に接触して巻き回されたフィルムＦと温度調節部材３との間に空気が介在しやすくなる。
【００５０】
図５は、図４に破線の丸で囲った部分Ｅ２を示す部分拡大図であり、温度調節部材３とフィルムＦとの間に空気が介在する状態を説明する図である。図５の２ａは、フィルムＦと温度調節部材３との間に介在する空気を示している。この部分では、フィルムＦと温度調節部材３は非接触の状態となる。
【００５１】
温度調節部材３による熱量は、主にフィルムＦと温度調節部材３との接触部分２ｂを通じてフィルムＦに伝達され、非接触の部分から伝達される熱量は極めて少なくなる。そのため、フィルムＦと温度調節部材３との間の空気の介在が多くなり、非接触部分の面積が大きくなると、温度調節部材３からフィルムＦに伝達される熱量が減少して乾燥効率が低下する場合がある。
【００５２】
また、図１を用いて説明したように、温度調節部材３の外周面に裏面が接触したフィルムＦの表面に、温風発生部４から温風を吹き送って乾燥を促進させる場合、温度調節部材３の外周面の温度より温風発生部４からの温風の温度が高くなると、温度調節部材３とフィルムＦの非接触部分において、温度調節部材３による温風に対する冷却効果が低下し、フィルムＦの厚み方向における全体的な温度は温風の温度に近くなる。温風の温度がフィルムＦの軟化点より高い場合、フィルムＦが熱変形し、フィルムＦにしわが発生する場合がある。
【００５３】
さらに、フィルムＦの温度調節部材３と接触する部分では、白抜きの矢印２ｃで示す方向に静摩擦力が生じる。この静摩擦力が反力となり、供給ユニットから矢印２０の方向に張力を加えても、フィルムＦに対する引っ張り応力は低減される。しかしながら、フィルムＦと温度調節部材３との間の空気の介在が多くなり、非接触部分の面積が大きくなると、静摩擦力が減少し、フィルムＦへの引っ張り応力の低減効果が小さくなる。その結果、フィルムＦに温風発生部４からの温風で熱量が伝達された状態で、大きな引っ張り応力が加えられ、熱量と引っ張り応力の相乗的なストレスで、フィルムＦが更に変形しやすくなる場合がある。
【００５４】
一例として、比較例に係る画像形成装置１０１において、フィルムＦを搬送速度２ｍｐｍ（meter per minute）で搬送している時に、温風発生部４から３００度の温風をフィルムＦに吹き送った場合は、フィルムＦに変形が見られなかった。しかし、搬送速度を３２ｍｐｍに上げると、フィルムＦにしわが発生し、しわの発生を防ぐには温風の温度を１８０度まで下げる必要があった。この条件では、温風の温度が低いため、インクの乾燥効率が低下する。
【００５５】
従来技術では、フィルムＦと温度調節部材３との間に入り込んだ空気による密着性の低下等について開示されておらず、上述した課題を解決することはできない。
【００５６】
図６は、本実施形態に係る画像形成装置１００において、図４において破線の丸で囲った部分Ｅ２に対応する部分の一例を示す部分拡大図であり、温度調節部材３とフィルムＦとの間に空気が介在しない状態を説明する図である。
【００５７】
上述したように、画像形成装置１００では、シール部材６は、搬送方向１０において、接触開始箇所３ａの上流側に設けられ、フィルムＦと温度調節部材３の間で搬送方向１０の上流方向に徐々に狭くなる空間に、テーパ部６２の先端部が挿入されるようにして配置されている。また、平面６１の少なくとも一部はフィルムＦにおける温度調節部材３と接触する側の面に接触し、平面６３の少なくとも一部は温度調節部材３の外周面に接触している。
【００５８】
このようにシール部材６が配置されることで、接触開始箇所の搬送方向１０における上流側における開口部をシール部材６で塞ぐことができ、フィルムＦ及び温度調節部材３の間に空気が入り込むことを防ぐことができる。
【００５９】
その結果、図６に示すように、温度調節部材３とフィルムＦとの間に空気が介在しない状態にすることができる。これにより、フィルムＦと温度調節部材３との接触部分２ｂの面積が大きくなるため、温度調節部材３からフィルムＦに伝達される熱量の増大により、乾燥効率が向上する。
【００６０】
また、接触部分の面積が大きいため、温度調節部材３とフィルムＦの非接触部分において、温度調節部材３による温風に対する冷却効果を確保できる。その結果、フィルムＦの厚み方向における全体的な温度を温度調節部材３の温度に近づけることができ、フィルムＦにしわが発生することを抑制できる。
【００６１】
さらに、接触面積の増大により、白抜きの矢印２ｃで示す方向への静摩擦力も大きくなるため、静摩擦力が反力となってフィルムＦに対する引っ張り応力が低減され、熱量と引っ張り応力の相乗的なストレスによるフィルムＦの変形を抑制できる。
【００６２】
このように、乾燥ユニット２の温風発生部４により吹き送る温風の温度を上げてもフィルムＦのしわや変形を防止でき、フィルムＦと温度調節部材３との間の密着性の低下を抑制し、乾燥効率の低下を抑制することができる。また、乾燥効率が低くなると、十分に乾燥させるために、乾燥工程におけるフィルムＦの搬送距離を長くする必要があり、乾燥ユニット２が大型化する。本実施形態により乾燥効率を確保することで、フィルムＦの搬送距離を短くでき、コンパクトで生産性の高い乾燥ユニット２を提供できる。
【００６３】
ここで、シール部材６は、温度調節部材３に接触して加熱されるため、耐熱性が優れた部材であることが好ましい。また、乾燥工程では温度調節部材３は常に回転し、フィルムＦは常に搬送されているため、温度調節部材３やフィルムＦを傷つけないように、シール部材６は、低摩擦係数の部材であることが好ましい。本実施形態では、耐熱性が高く、且つ摩擦係数が低いフッ素樹脂を素材としてシール部材６を構成する。これにより、上述した条件を好適に満足することができる。より具体的には、フッ素樹脂のうちのテフロン（登録商標）は、２６０度の温度まで耐えられ、且つ摩擦係数が０．０４と低いため、シール部材６に用いるとより好適である。
【００６４】
［第２の実施形態］
次に、第２の実施形態に係る画像形成装置１００ａについて説明する。図７は、画像形成装置１００ａの構成の一例を説明する図である。図７に示すように、画像形成装置１００ａは、シール部材６ａを備える。
【００６５】
シール部材６ａは、テーパ部６２ａを含み、テーパ部６２ａは、図７に斜線ハッチングで示した平面６１及び円筒面６３ａを含んで形成されている。円筒面６３ａは、温度調節部材３の外周面である円筒面に沿った形状に形成され、円筒面６３ａの少なくとも一部は温度調節部材３の外周面に接触している。ここで、円筒面６３ａは、第２面の一例である。
【００６６】
次に、図８は、種々の搬送速度でフィルムＦを搬送した場合におけるしわ発生の実験結果例を説明する図である。図８の横軸は、フィルムＦの搬送速度を示し、図８の右に向かうほど搬送速度は速い。また、縦軸はしわのランクを示している。５段階で示したしわランクのうち、ランクの数値が大きいほどしわが少なく、数値が小さいほどしわが多い。一例として、しわランク４以上が許容できるしわランクである。
【００６７】
図８の実験では、ドラム温度を７０度に設定し、温風発生部４には温風ノズル３個を用い、３５０度の温風をフィルムＦに対して吹き送った。また、フィルムＦは、厚み２０μｍのＯＰＰであり、ＯＰＰに付与される液体は、インクジェット用の水性インクである。
【００６８】
図８における黒丸プロット８１は、本実施形態に係る画像形成装置１００ａによる実験結果を示し、黒四角プロット８２は、比較例に係る画像形成装置１０１による実験結果を示している。
【００６９】
図８に示すように、画像形成装置１０１（黒四角プロット８２）は、何れの搬送速度においても、しわランク４以上を満足しておらず、また、搬送速度が速くなるほどしわランクが悪化している。一方、画像形成装置１００ａ（黒丸プロット８１）は、何れの搬送速度においても、しわランク４以上を満足し、また、搬送速度によらず高いしわランクを示している。特に、搬送速度３０ｍｐｍ以上において、比較例に対する本実施形態の優位性が顕著になっている。
【００７０】
このように、本実施形態では、シール部材６ａが円筒面６３ａを備えることで、シール部材６ａにおける温度調節部材３の外周面と接触する面が平面である場合と比較して、温度調節部材３の外周面と円筒面６３ａとの接触面積をより大きくすることができ、温度調節部材３の外周面の近傍から、フィルムＦと温度調節部材３との間に空気が入り込むことをより効率的に防ぐことができる。
【００７１】
ここで、温度調節部材３の半径方向における円筒面６３ａの曲率は、温度調節部材３の曲率と絶対値が等しく、また符号は異なるように形成されると、接触面積を大きくできるため、より好適である。
【００７２】
なお、上述した以外の効果は、第１の実施形態で説明したものと同様である。
【００７３】
上述した第１及び第２の実施形態では、シール部材６がバルク状部材である例を示したが、これに限定されるものではない。例えば、平面６１を含む面と、平面６３又は円筒面６３ａを含む面とを備え、中空部を有する部材としてシール部材６を構成しても良い。また、平面６１を含む部材と、平面６３又は円筒面６３ａを含む部材とを組み合わせてシール部材６を構成しても良い。但し、シール部材６をバルク状の部材で構成すると、樹脂成形加工や切削加工等を用いてシール部材６を容易に製作できるという利点がある。
【００７４】
また、フィルムＦにおける温度調節部材３に接触する側の面と、平面６１とが接触する面積は、できるだけ広い方が、空気が入り込む面積を小さくできるため、より好適である。同様に、温度調節部材３の外周面と平面６３又は円筒面６３ａとが接触する面積は、できるだけ広い方が、空気が入り込む面積を小さくできるため、より好適である。
【００７５】
さらに、フッ素樹脂を素材としてシール部材６を構成する例を説明したが、これに限定されるものではない。シール部材６におけるフィルムＦと接触する部分、及び温度調節部材３と接触する部分が少なくともフッ素樹脂で構成されていれば良い。例えば、フッ素樹脂とは異なる素材で構成した部材にフッ素樹脂で構成した部材を取り付けるようにしてシール部材６を構成しても良い。
【００７６】
以上、実施形態を説明したが、本発明は、具体的に開示された上記の実施形態に限定されるものではなく、特許請求の範囲から逸脱することなく、種々の変形や変更が可能である。
【符号の説明】
【００７７】
１００  画像形成装置（液体吐出装置の一例）
１      インク吐出ユニット
２      乾燥ユニット（装置の一例）
３      温度調節部材
３ａ    接触開始箇所
４      温風発生部
５      インク（液体の一例）
６      シール部材（部材の一例）
６１    平面（第１面の一例）
６２    テーパ部
６３    平面（第２面の一例）
６３ａ  円筒面（第２面の一例）
１０    搬送方向
Ｆ      フィルム（基材の一例）
【先行技術文献】
【特許文献】
【００７８】
【特許文献１】特開２０１６−１１４２８４号公報
【図１】
2020203393.tif 000003
【図２】
2020203393.tif 000004
【図３】
2020203393.tif 000005
【図４】
2020203393.tif 000006
【図５】
2020203393.tif 000007
【図６】
2020203393.tif 000008
【図７】
2020203393.tif 000009
【図８】
2020203393.tif 000010